(57)【要約】【課題】大きな印刷物を収納するときには伸ばして使い、使わないときには短く出来て、印刷物が筒内壁に密着してもスムーズに取り出せる印刷物収納筒を提供する。【解決手段】本体部と蓋部分を組み合わせた収納筒において、筒の中に更に２層の筒を設けた３層構造とし、最内層の筒と蓋を一体化させ、収納する印刷物の長さに応じて、３層になった筒を適切な長さにした状態で固定出来るよう機構を持ち、最内層の筒の内側壁面に植毛処理を行うことで、印刷物を取り出しやすくしたことを特徴とする印刷物収納筒。【選択図】図１
2018108689.tif 000002
【特許請求の範囲】
【請求項１】
本体部と蓋部分を組み合わせた収納筒において、筒の中に更に２層の筒を設けた３層構造とし、最内層の筒と蓋を一体化させたものであって、
収納する印刷物の長さに応じて、３層になった筒を適切な長さにした状態で固定出来るようにするため、隣接する層の外側層の内側壁面に凸部を、隣接する層の内側層の外側壁面に凹部を設けてあり、筒の長軸を中心にして２つの筒を互いに逆方向に回転させることで、凸部が凹部に嵌合するようなラッチ機構を設けてあり、
最内層の筒の内側壁面に面テープを貼るなどの方法で植毛処理を行うことで、筒の中で放射方向に膨らんだ印刷物を取り出すときの摩擦を低下させていることを特徴とする印刷物収納筒。
【発明の詳細な説明】
【技術分野】
【０００１】  本発明は、ポスターや図面等の大きな印刷物を入れるための筒に関するものである。
【背景技術】
【０００２】  従来は、紙製の筒の場合、本体側に嵌合部を設け、筒の先に長さ１０ｃｍ程度の蓋を被せる構造であった。
また、プラスチック製の筒の場合は、本体側が２層で構成され、伸ばせるような機構を備え、筒の先に長さ数ｃｍの蓋を被せる構造であった。
【発明の概要】
【発明が解決しようとする課題】
【０００３】従来より、次のような問題点があった。
（イ）  大きな印刷物、例えば、Ｂ１サイズ（短辺７２８ｍｍ）のポスター／図面が収め      られる筒は、通常持ち歩く鞄に収めることが出来なかった。
（ロ）  そういった筒を持たずに、大勢の人が集まるイベント等でポスター等を入手した      場合には、入手後から家に着くまでの間、ポスターを傷めない様に、ずっと注意を      払い続ける必要があった。
（ハ）  また、筒の中に印刷物を収納した後、印刷物が放射方向に広がって筒内壁面との      摩擦が大きくなって取り出しにくくなることがあった。
本発明は、以上の問題点を解決しようとするものである。
【課題を解決するための手段】
【０００４】  本体部と蓋部分を組み合わせた収納筒において、筒の中に更に２層の筒を設け、内側から最内筒、中間筒、最外筒からなる３層構造とし、最内筒と蓋を一体化させたものである。
収納する印刷物の長さに応じて、３層になった筒を適切な長さにした状態で固定出来るようにするため、中間筒と最外筒の内壁面入口に、長軸に対し軸対称になるように２つの凸部を設け、最内筒と中間筒の外壁面には、長手方向全域に渡る長溝と、長溝上の何箇所かで周回方向に広げた拡張溝で構成された凹部を、長軸に対し軸対称になるように２ヶ所設けてある。
最内筒の内側壁面には、面テープを貼るなどの方法で植毛処理を行うことで、筒の中で放射方向に膨らんだ印刷物を取り出すときの摩擦を低下させている。
以上を特徴とする印刷物収納筒である。
【発明の効果】
【０００５】（イ）伸ばしたときには、縮めたときに比べて、約２．５倍の長さに出来る。例えばＡ４      ファイル縦相当の長さ（約３１５ｍｍ）の筒であれば、縮めた時には常時鞄に入れ      ておくことが可能であるが、その筒を伸ばした場合には、ポスターや図面として用      いられているＢ１サイズ（短辺７２８ｍｍ）の印刷物までを収めることが出来る。
（ロ）この筒を縮めた状態で鞄に入れておけば、大勢の人で混雑しているコミックマーケ      ットやライブコンサートなどのイベントでポスターを入手した場合でも、この筒を      伸ばして収納することで、イベント中及び帰路でポスターを傷めない様にずっと注      意を払い続ける必要がない。
（ハ）業務等で図面などの大きな印刷物を持ち歩く際にも、図面を渡した後、空になった      時には、筒を短くして鞄に収納することが出来る。
（ニ）収納した印刷物を取り出す際には、最内筒を引き抜くと、収納した印刷物のうち、      最内筒の筒長を超える部分が露出している為に取り出し易くなっており、更に最内      筒の内側壁面に施した植毛処理により、収納筒と印刷物との摩擦を低下させてある      こととの相乗効果で、印刷物が放射方向に広がっていても引き出しやすい構造を実      現している。
【図面の簡単な説明】
【０００６】
【図１】  本発明を構成する３つの筒を分離した時の状態を示す立体分解斜視図
【図２】  本発明において最外筒に中間筒と最内筒を収納した状態を示す斜視図
【図３】  本発明において３つの筒を連結した状態を示す斜視図
【図４】  本発明においてラッチ機構部分を判り易く示した部分拡大斜視図
【図５】  本発明の一部である最内筒の内壁に設けた植毛加工部を示す斜視図
【図６】  本発明において最内筒に印刷物が収められた状態を示す斜視図
【発明を実施するための形態】
【０００７】  以下、本発明の実施の形態を説明する。
（イ）３層で構成された収納筒において、蓋（１）を最内筒（２）の先端に取り付け一体      化させてある（［図１］参照）。
（ロ）中間筒（３）の直径は、最外筒（４）内部に納まるよう、最外筒の直径よりもやや      小さくなっている（［図２］参照）。
（ハ）同様に、最内筒（２）の直径は、中間筒（３）内部に納まるよう、中層（３）の直      径よりもやや小さくなっている（［図２］参照）。
（ニ）収納する印刷物の長さに応じて、３層になった筒を適切な長さにした状態で固定出      来るようにするため、中間筒（３）と最外筒（４）の内壁面入口に、長軸に対し軸      対称になるように２つの嵌合凸部（５）を設け、最内筒（２）と中間筒（３）の外      壁面には、長手方向全域に渡る長溝（６）と、長溝（６）上の何箇所かで周回方向      に広げた拡張溝（７）で構成された嵌合凹部（８）を設けてある。なお、嵌合凹部      （８）は、［図１］他の各図面において、背面側にも筒の長軸に対し軸対称になる      ように設けられている。（［図１］［図３］及び［図４］参照）。
（ホ）最内筒（２）の内側壁面には、面テープを貼るなどの方法で植毛加工を行うことで      、筒の中で放射方向に膨らんだ印刷物を取り出すときの摩擦を低下させた（［図５      ］参照）。
本発明は、以上の構成よりなっている。
本発明の使い方を説明する。
（イ）印刷物を収納しない時は、最内筒（２）と中間筒（３）を、最外筒（４）内部に収      納することで、筒の全長を短くすることができる（［図２］参照）。
（ロ）印刷物を収納する時は、最内筒（２）を引き抜き、丸めた印刷物を最内筒（２）の      中に収納したのち、最内筒（２）の長溝（６）と、中間筒（３）の嵌合凸部（５）      の位置を合わせて、最内筒（２）を中間筒（３）内に挿入する。
（ハ）筒の長さが足りない場合には、中間筒（３）の一部を最外筒（４）から抜き出し、      長さを調節する。
（ニ）隣接する層の嵌合凸部（５）と拡張溝（７）の位置を合わせ、筒の長軸を中心にし      て２つの筒を互いに逆方向に回転させることで、嵌合凸部（５）が拡張溝（７）に      嵌合し、筒同士を固定できる。
（ホ）印刷物を取り出すときは、筒の長軸を中心に、最内筒（２）と中間筒（３）を（ニ      ）とは逆方向に回転させた後、最内筒（２）を引き抜く。
（ヘ）最内筒（２）を引き抜いたとき、収納した印刷物は、最内筒の筒長を超える部分が      露出していることと、最内筒の内側壁面に施した植毛加工（９）により、収納筒と      印刷物との摩擦を低下させたことにより、印刷物が放射方向に広がっていても容易      に取り出すことが出来る（［図６］参照）。
【符号の説明】
【０００８】    １  蓋
２  最内筒
３  中間筒
４  最外筒
５  嵌合凸部
６  長溝
７  拡張溝
８  嵌合凹部
９  植毛加工部
１０  丸めた印刷物
【図１】
2018108689.tif 000003
【図２】
2018108689.tif 000004
【図３】
2018108689.tif 000005
【図４】
2018108689.tif 000006
【図５】
2018108689.tif 000007
【図６】
2018108689.tif 000008